【手続補正書】
【提出日】平成22年7月9日(2010.7.9)
【手続補正１】
【補正対象書類名】特許請求の範囲
【補正対象項目名】全文
【補正方法】変更
【補正の内容】
【特許請求の範囲】
【請求項１】
文字入力を行うための操作部と、
各種のアプリケーションの画面を表示する表示部と、
前記表示部に待受画面が表示された状態で、前記操作部の操作により文字入力が行われた場合に、入力された入力文字を入力させた状態で前記各種のアプリケーションのうち予め定められた文字入力アプリケーションに基づく文字入力画面を前記表示部に表示させる制御部と、を備える文字入力装置。
【請求項２】
前記制御部は、前記表示部に表示される前記文字入力アプリケーションに基づく文字入力画面中の文字入力領域に前記操作部の操作により入力された入力文字を表示させる請求項１記載の文字入力装置。
【請求項３】
前記操作部は、複数の種別の文字が割り当てられており、
前記制御部は、前記表示部に表示される文字入力アプリケーションの種別に応じて、前記入力文字の種別を変更する請求項２記載の文字入力装置。
【請求項４】
前記複数の種別の文字は、平仮名文字、英字、数字の少なくとも２つを含む請求項３記載の文字入力装置。
【請求項５】
前記制御部は、前記表示部に表示される文字入力アプリケーションがメール作成用のアプリケーションである場合は、前記入力文字として前記操作部の操作により入力された平仮名文字を前記表示部に表示されているメール作成用の文字入力画面中の文字入力領域に表示させる請求項３又は４記載の文字入力装置。
【請求項６】
前記制御部は、前記表示部に表示される文字入力アプリケーションが所定の情報を閲覧するブラウザである場合は、前記入力文字として前記操作部の操作により入力された英字を前記表示部に表示されているブラウザの文字入力画面中の文字入力領域に表示させる請求項３又は４記載の文字入力装置。
【請求項７】
前記制御部は、前記表示部に表示される文字入力アプリケーションがダイヤル入力アプリケーションである場合は、前記入力文字として前記操作部の操作により入力された数字を前記表示部に表示されているダイヤル入力用の文字入力画面中の文字入力領域に表示させる請求項３又は４記載の文字入力装置。
【請求項８】
異なる文字入力アプリケーションを複数有する第１記憶部と、
前記複数の文字入力アプリケーションのうちのいずれかが指定されることにより前記予め定められた文字入力アプリケーションとして記憶する第２記憶部を備え、
前記制御部は、前記第２記憶部に記憶された文字入力アプリケーションに基づく文字入力画面を前記表示部に表示させる請求項１から７のいずれか一項に記載の文字入力装置。
【請求項９】
前記文字入力アプリケーションは複数の文字入力画面を有し、
前記複数の文字入力画面のうち、指定された文字入力画面を記憶する第３記憶部を備え、
前記制御部は、前記第３記憶部に記憶された文字入力画面を前記表示部に表示させる請求項１から７のいずれか一項に記載の文字入力装置。
【請求項１０】
異なる文字入力アプリケーションを複数有する第１記憶部を備え、
前記制御部は、前記第１記憶部に記憶されている前記複数の文字入力アプリケーションのうち一の文字入力アプリケーションを選択するための画面を前記表示部に表示させ、前記操作部により選択された文字入力アプリケーションに基づく文字入力画面を前記表示部に表示させる請求項１から７いずれか一項に記載の文字入力装置。
【請求項１１】
前記文字入力アプリケーションは、複数の文字入力画面を有し、
前記制御部は、前記複数の文字入力画面のうち一の文字入力画面を選択するための画面を前記表示部に表示させ、前記操作部により選択された文字入力画面を前記表示部に表示させる請求項１から７いずれか一項に記載の文字入力装置。
【請求項１２】
請求項１から１１いずれか一項に記載の文字入力装置を備える携帯電子機器。
【請求項１３】
文字入力を行う操作ステップと、
表示部に待受画面が表示されている状態において、文字入力が行われると、入力された入力文字を入力させた状態で予め定められた文字入力アプリケーションに基づく文字入力画面を表示する表示ステップと、を有する文字入力方法。
【手続補正２】
【補正対象書類名】明細書
【補正対象項目名】０００７
【補正方法】変更
【補正の内容】
【０００７】
上記目的を達成するために、文字入力装置は、文字入力を行うための操作部と、各種のアプリケーションの画面を表示する表示部と、前記表示部に待受画面が表示された状態で、前記操作部の操作により文字入力が行われた場合に、入力された入力文字を入力させた状態で前記各種のアプリケーションのうち予め定められた文字入力アプリケーションに基づく文字入力画面を前記表示部に表示させる制御部と、を備える構成である。
【手続補正３】
【補正対象書類名】明細書
【補正対象項目名】０００８
【補正方法】変更
【補正の内容】
【０００８】
文字入力装置では、前記制御部は、前記表示部に表示される前記文字入力アプリケーションに基づく文字入力画面中の文字入力領域に前記操作部の操作により入力された入力文字を表示させることが好ましい。
【手続補正４】
【補正対象書類名】明細書
【補正対象項目名】０００９
【補正方法】変更
【補正の内容】
【０００９】
文字入力装置では、前記操作部は、複数の種別の文字が割り当てられており、前記制御部は、前記表示部に表示される文字入力アプリケーションの種別に応じて、前記入力文字の種別を変更することが好ましい。
【手続補正５】
【補正対象書類名】明細書
【補正対象項目名】００１０
【補正方法】変更
【補正の内容】
【００１０】
文字入力装置では、前記複数の種別の文字は、平仮名文字、英字、数字の少なくとも２つを含むことが好ましい。
【手続補正６】
【補正対象書類名】明細書
【補正対象項目名】００１１
【補正方法】変更
【補正の内容】
【００１１】
文字入力装置では、前記制御部は、前記表示部に表示される文字入力アプリケーションがメール作成用のアプリケーションである場合は、前記入力文字として前記操作部の操作により入力された平仮名文字を前記表示部に表示されているメール作成用の文字入力画面中の文字入力領域に表示させることが好ましい。
【手続補正７】
【補正対象書類名】明細書
【補正対象項目名】００１２
【補正方法】変更
【補正の内容】
【００１２】
文字入力装置では、前記制御部は、前記表示部に表示される文字入力アプリケーションが所定の情報を閲覧するブラウザである場合は、前記入力文字として前記操作部の操作により入力された英字を前記表示部に表示されているブラウザの文字入力画面中の文字入力領域に表示させることが好ましい。
【手続補正８】
【補正対象書類名】明細書
【補正対象項目名】００１３
【補正方法】変更
【補正の内容】
【００１３】
文字入力装置では、前記制御部は、前記表示部に表示される文字入力アプリケーションがダイヤル入力アプリケーションである場合は、前記入力文字として前記操作部の操作により入力された数字を前記表示部に表示されているダイヤル入力用の文字入力画面中の文字入力領域に表示させることが好ましい。
【手続補正９】
【補正対象書類名】明細書
【補正対象項目名】００１４
【補正方法】変更
【補正の内容】
【００１４】
文字入力装置では、異なる文字入力アプリケーションを複数有する第１記憶部と、前記複数の文字入力アプリケーションのうちのいずれかが指定されることにより前記予め定められた文字入力アプリケーションとして記憶する第２記憶部を備え、前記制御部は、前記第２記憶部に記憶された文字入力アプリケーションに基づく文字入力画面を前記表示部に表示させることが好ましい。
【手続補正１０】
【補正対象書類名】明細書
【補正対象項目名】００１５
【補正方法】変更
【補正の内容】
【００１５】
文字入力装置では、前記文字入力アプリケーションは複数の文字入力画面を有し、前記複数の文字入力画面のうち、指定された文字入力画面を記憶する第３記憶部を備え、前記制御部は、前記第３記憶部に記憶された文字入力画面を前記表示部に表示させることが好ましい。
【手続補正１１】
【補正対象書類名】明細書
【補正対象項目名】００１６
【補正方法】変更
【補正の内容】
【００１６】
文字入力装置では、異なる文字入力アプリケーションを複数有する第１記憶部を備え、前記制御部は、前記第１記憶部に記憶されている前記複数の文字入力アプリケーションのうち一の文字入力アプリケーションを選択するための画面を前記表示部に表示させ、前記操作部により選択された文字入力アプリケーションに基づく文字入力画面を前記表示部に表示させることが好ましい。
【手続補正１２】
【補正対象書類名】明細書
【補正対象項目名】００１７
【補正方法】変更
【補正の内容】
【００１７】
文字入力装置では、前記文字入力アプリケーションは、複数の文字入力画面を有し、前記制御部は、前記複数の文字入力画面のうち一の文字入力画面を選択するための画面を前記表示部に表示させ、前記操作部により選択された文字入力画面を前記表示部に表示させることが好ましい。
また、上記目的を達成するために、携帯電子機器は、上記文字入力装置を備える。
また、上記目的を達成するために、文字入力方法は、文字入力を行う操作ステップと、表示部に待受画面が表示されている状態において、文字入力が行われると、入力された入力文字を入力させた状態で予め定められた文字入力アプリケーションに基づく文字入力画面を表示する表示ステップと、を有する構成である。